(57)【要約】【課題】被収容物を収容した袋の持ち手が倒伏した状態であっても当該持ち手を引き上げることが可能で、かつ、引き上げた持ち手に引っ掛け手段を引っ掛けて袋を吊り上げることが可能な袋吊り装置等を提供する。【解決手段】被収容物２１が収容されるとともに持ち手２３を有した袋２の倒伏した状態の持ち手２３を吸引して持ち手２３を引き上げることで持ち手２３と被収容物２１との間に引っ掛け孔２３ａを形成する吸引手段３１（磁石３１Ａ）と、引っ掛け孔２３ａに挿入されることで持ち手２３に引っ掛けられる引っ掛け手段３２（突起３２Ａ）と、持ち手２３に引っ掛けられた引っ掛け手段を吊り上げることにより袋を吊り上げる吊り上げ手段３３（バックホウ３Ａの作業機３７）とを備えた。【選択図】図１
2014234277.tif 000002
【特許請求の範囲】
【請求項１】
被収容物が収容されるとともに持ち手を有した袋の倒伏した状態の持ち手を吸引して持ち手を引き上げることで持ち手と被収容物との間に引っ掛け孔を形成する吸引手段と、引っ掛け孔に挿入されることで持ち手に引っ掛けられる引っ掛け手段と、持ち手に引っ掛けられた引っ掛け手段を吊り上げることにより袋を吊り上げる吊り上げ手段とを備えたことを特徴とする袋吊り装置。
【請求項２】
袋の持ち手が、吸引手段で吸引される被吸引手段を備えたことを特徴とする請求項１に記載の袋吊り装置。
【請求項３】
吸引手段が磁石であり、被吸引手段が磁石に吸引される物質であることを特徴とする請求項２に記載の袋吊り装置。
【請求項４】
請求項１に記載の袋吊り装置により吊られる袋であって、持ち手と、当該持ち手に設けられて吸引手段により吸引される被吸引手段とを備えたことを特徴とする袋。
【請求項５】
持ち手が吸引手段により引き上げられて形成される引っ掛け孔に対して引っ掛け手段を挿入する方向を示す目印を備えたことを特徴とする請求項４に記載の袋。
【請求項６】
被収容物が収容されるとともに持ち手を有した袋の持ち手を倒伏した状態から吸引手段による吸引力によって引き上げることで持ち手と被収容物との間に引っ掛け孔を形成した後、袋を吊る装置に設けられた引っ掛け手段を引っ掛け孔に挿入して持ち手に引っ掛けて袋を吊るようにしたことを特徴とする袋吊り方法。
【発明の詳細な説明】
【技術分野】
【０００１】
本発明は、被収容物を収容した袋の持ち手が倒伏した状態であっても当該持ち手を引き上げることができ、かつ、引き上げた持ち手に引っ掛け手段を引っ掛けて袋を吊り上げる袋吊り装置等に関する。
【背景技術】
【０００２】
土、粉粒体、廃棄物、穀物等の被収容物を収容して運搬するための袋として、例えば、フレキシブルコンテナバッグが知られている（特許文献１等参照）。
被収容物を収容したフレキシブルコンテナバッグ等の袋を運搬するには、被収容物を収容した袋を袋吊り装置で吊り上げる必要があり、袋の持ち手に袋吊り装置の引っ掛け部を引っ掛けて袋を吊り上げるようにしている。
しかしながら、袋の持ち手に袋吊り装置の引っ掛け部を引っ掛けるためには、袋の持ち手を引き上げておく必要がある。このため、従来、例えば、人が持ち手を引き上げたり、持ち手に番線を巻き付けること等によって持ち手を引き上げていた。
【先行技術文献】
【特許文献】
【０００３】
【特許文献１】特開２０１２−１２１６２９号公報
【発明の概要】
【発明が解決しようとする課題】
【０００４】
しかしながら、被収容物を収容した袋の持ち手を人が引き上げる方法では、人手が必要になるばかりでなく、袋吊り装置としては重機を用いることが多いので、安全性の面においても好ましくない。また、被収容物を収容した袋の持ち手に番線を巻き付けること等によって持ち手を引き上げる方法では、被収容物を収容した袋を積み重ねた場合等、持ち手が倒伏してしまい、袋の持ち手に袋吊り装置の引っ掛け部を引っ掛けることができなくなる。
本発明は、被収容物を収容した袋の持ち手が倒伏した状態であっても当該持ち手を引き上げることが可能で、かつ、引き上げた持ち手に引っ掛け手段を引っ掛けて袋を吊り上げることが可能な袋吊り装置等を提供する。
【課題を解決するための手段】
【０００５】
本発明に係る袋吊り装置は、被収容物が収容されるとともに持ち手を有した袋の倒伏した状態の持ち手を吸引して持ち手を引き上げることで持ち手と被収容物との間に引っ掛け孔を形成する吸引手段と、引っ掛け孔に挿入されることで持ち手に引っ掛けられる引っ掛け手段と、持ち手に引っ掛けられた引っ掛け手段を吊り上げることにより袋を吊り上げる吊り上げ手段とを備えたので、被収容物を収容した袋の持ち手が倒伏した状態であっても当該持ち手を引き上げることが可能で、かつ、引き上げた持ち手に引っ掛け手段を引っ掛けて袋を吊り上げることができる。
袋の持ち手が、吸引手段で吸引される被吸引手段を備えたので、持ち手を引き上げやすくなる。
吸引手段が磁石であり、被吸引手段が磁石に吸引される物質であるので、磁石の磁力で物質を吸引して袋の持ち手を倒伏した状態から容易に引き上げることができる。
本発明の袋は、上記袋吊り装置により吊られる袋であって、持ち手と、当該持ち手に設けられて吸引手段により吸引される被吸引手段とを備えたので、持ち手を引き上げやすい袋となる。
持ち手が吸引手段により引き上げられて形成される引っ掛け孔に対して引っ掛け手段を挿入する方向を示す目印を備えたので、目印を参照して袋吊り装置の引っ掛け手段の位置決めを容易に行え、袋吊り作業の効率化が計れる。
本発明に係る袋吊り方法は、被収容物が収容されるとともに持ち手を有した袋の持ち手を倒伏した状態から吸引手段による吸引力によって引き上げることで持ち手と被収容物との間に引っ掛け孔を形成した後、袋を吊る装置に設けられた引っ掛け手段を引っ掛け孔に挿入して持ち手に引っ掛けて袋を吊るようにしたので、被収容物を収容した袋の持ち手が倒伏した状態であっても当該持ち手を引き上げることが可能で、かつ、引き上げた持ち手に引っ掛け手段を引っ掛けて袋を吊り上げることができる。
【図面の簡単な説明】
【０００６】
【図１】袋吊り装置を示す図。
【図２】吸引手段及び引っ掛け手段を備えたバケットを示す斜視図。
【図３】（ａ）は袋の構成図、（ｂ）は被収容物を収容した状態の袋を示す図。
【図４】袋吊り装置の動作説明図。
【図５】袋吊り装置を示す図。
【図６】吸引手段及び引っ掛け手段を備えたバケットを示す斜視図。
【図７】袋吊り装置を示す図。
【図８】図７のＡ方向から見た図。
【発明を実施するための形態】
【０００７】
実施形態１
図１に示すように、袋吊り装置１は、袋２と、吊り手段３とを備える。
図３に示すように、袋２は、例えば、土、粉粒体、廃棄物、穀物等の被収容物２１を収容可能な収容空間を有した収容部２２と、持ち手２３と、当該持ち手２３に設けられた例えば鉄２４Ａ等の磁性体（強磁性体）により構成された被吸引手段２４とを備えた構成である。
吊り手段３は、被収容物２１を収容した袋２の倒伏した状態の持ち手２３を吸引して引き上げることで持ち手２３と被収容物２１との間に引っ掛け手段３２を通すための引っ掛け孔２３ａを形成する例えば永久磁石や電磁石等の磁石３１Ａにより構成された吸引手段３１（図１；図２参照）と、吸引手段３１で引き上げた持ち手２３に引っ掛けられる引っ掛け手段３２（図１；図２参照）と、引っ掛け手段３２が持ち手２３に引っ掛けられた状態で袋２を吊り上げる吊り上げ手段３３（図１参照）とを備えた構成である。
尚、被吸引手段２４は磁石３１Ａに吸引される物質であればよく、このように、吸引手段３１として磁石３１Ａを用い、被吸引手段２４として当該物質を磁石３１Ａに吸引される物質を用いることによって、磁石３１Ａの磁力で吸引して袋２の持ち手２３を倒伏した状態から確実に引き上げることができる。
【０００８】
図３に示すように、例えばフレキシブルコンテナバッグと呼ばれる袋２は、底部２２ａと、底部２２ａの周縁より延長するように設けられた胴周壁部２２ｂと、胴周壁部２２ｂの延長端（上端）により形成された開口縁で囲まれた開口２２ｃとを備えた一端閉塞一端開口の袋体に、持ち手２３を備えた構成である。尚、被収容物２１は胴周壁部２２ｂの底側から開口２２ｃ側に向かって順番に袋体の内側に収容され、胴周壁部２２ｂの上部は紐２２ｄ等で縛られて胴周壁部２２ｂの底側から上部側までの収容部２２に収容された被収容物２１を覆う上部覆いカバーとして機能する。
持ち手２３は、例えば、帯状体（ベルト）の両端が胴周壁部２２ｂの外面に取付けられ、引き上げられた場合に、被収容物２１を覆う胴周壁部２２ｂの上部と帯状体とで囲まれた引っ掛け孔２３ａを形成するように構成される。持ち手２３は例えば２つ設けられ、各持ち手２３；２３が引き上げられて引っ掛け孔２３ａ；２３ａが形成された場合、これら各引っ掛け孔２３ａ；２３ａは互いに向かい合うように構成される。
鉄２４Ａは、例えば引っ掛け孔２３ａを形成する帯状体の内部に埋め込まれたり、引っ掛け孔２３ａを形成する帯状体の表面に取付けられること等によって、持ち手２３に設けられた構成であればよい。
尚、図３に示すように、環状（無端）に形成された帯状体の中央部を交差させた交差点２３ｂを底部２２ａの外面を形成する例えば円面の円の中心に位置させ、かつ交差点から延長する４つの帯状体をそれぞれ底部２２ａの外面及び胴周壁部２２ｂの外面に沿わせて環状の帯状体の両端の弧状部が開口２２ｃを越えて突出するように配置し、底部２２ａの外面、及び、胴周壁部２２ｂの外面における収容部２２の上端近傍まで沿わせた帯状体を底部２２ａの外面及び胴周壁部２２ｂの外面に縫い付ける等して固定された構成の持ち手２３を備えることによって、収容部２２に収容された被収容物２１の重量を持ち手２３で負担でき、かつ、強度の高い持ち手２３を備えた袋２を得ることができる。
このように、当該持ち手２３に被吸引手段２４とを備えた袋２を用いることにより、持ち手２３が倒伏した状態であっても吊り手段３の吸引手段３１が被吸引手段２４を吸引することで当該持ち手２３が引き上げられ、吊り手段３の引っ掛け手段３２を引き上げられた持ち手２３に引っ掛けて吊り上げることができる袋２となる。
【０００９】
また、図３に示すように、胴周壁部２２ｂの外面には、引き上げられた持ち手２３により形成される引っ掛け孔２３ａに吊り手段３の引っ掛け手段３２を挿入する方向を示す目印２３Ｘが設けられる。目印２３Ｘは、例えば図３（ｂ）に示すように、引き上げられた持ち手２３により形成される引っ掛け孔２３ａの下方に位置する胴周壁部２２ｂの外面において、胴周壁部２２ｂの外面の底側から上部側に向かうように表記された矢印模様等により構成される。当該目印２３Ｘを備えた袋２を用いることにより、目印２３Ｘを参照して吊り手段３の引っ掛け手段３２の位置決めを容易に行えるので、袋吊り作業を効率的に行える。
【００１０】
吊り手段３は、例えば、吊り上げ手段３３を備えた機械に、吸引手段３１及び引っ掛け手段３２を設けて構成される。
吊り上げ手段３３を備えた機械としては、例えば、油圧ショベル、フォークリフト、クレーン等の一般建設機械である。
吊り手段３が、吊り上げ手段３３を備えたバックホウ３Ａと呼ばれる油圧ショベルに吸引手段３１と引っ掛け手段３２とを備えて構成される場合について説明する。
図１に示すように、バックホウ３Ａは、下部機構３５、上部機構３６、作業機（フロント）３７を備えた構成である。
下部機構３５は、クローラ（無限軌道）等の下部走行体４１、及び、当該下部走行体４１を駆動させる図外の駆動機構等を備えた構成である。
上部機構３６は、上部旋回体４２、操縦室４３、図外のエンジン、油圧ポンプ等を備えた構成である。
作業機３７は、上部旋回体４２より延長するように設けられたブーム４４、ブーム４４の先端に設けられたアーム４５、アーム４５の先端に設けられたバケット４６、油圧シリンダー等を備えた構成であり、当該作業機３７により吊り上げ手段３３が構成される。油圧シリンダーとしては、ブーム４４を上下動させるためのブームシリンダー４７、アームをブームに対して伸展・屈曲動作させるためのアームシリンダー４８、アームの先端側を回転中心としてバケットを回転させるためのバケットシリンダー４９等を備える。
【００１１】
図２に示すように、バケット４６は、例えば、一方向に長い長尺な長方形状の平板の長手方向の中央側が底となって当該平板の長手方向の両端が互いに近づくように当該平板を湾曲させてなる底板５２と、底板５２の長手方向に沿った両側の縁部に連結されて互いに平行に向かい合うように設けられた一対の側板５３；５３とにより構成され、これら底板５２の長手方向の両端である開放端縁５４；５５と一対の側板の開放端縁５６；５６とで囲まれた開口５１を備え、これら底板５２と一対の側板５３；５３とで囲まれた一端開口の有底箱状容器により構成される。
バケット４６は、開口５１が操縦室４３側を向くように、底板５２の長手方向の一端である一方の開放端縁５４に平行に沿った回転中心軸５７を回転中心として回転可能なようにアーム４５の先端側に取付けられている。
【００１２】
当該吊り手段３の場合、吸引手段３１は、バックホウ３Ａのバケット４６の回転運動に伴って上下方向に移動可能に設けられた磁石３１Ａにより構成され、引っ掛け手段３２は、バックホウ３Ａのバケット４６に取付けられた引っ掛け部材により構成される。
引っ掛け部材は、例えば、図２に示すように、バケット４６の底板５２の長手方向の他端である他方の開放端縁（バケット４６の先端縁）５５よりバケット４６の底４６ｅ側とは反対方向に突出するように当該他方の開放端縁５５に設けられた突起３２Ａにより形成される。当該突起３２Ａは、例えば、当該他方の開放端縁５５における一対の側板５３；５３間の中央位置に設けられる。
上記磁石３１Ａは、上記突起３２Ａと互いに向かい合うように設けられて、例えば、図４に示すように、バケット４６の開口５１が下側に向いた状態から上側に向いた状態になるようにバケット４６が回転されて突起３２Ａが持ち手２３の引っ掛け孔２３ａの上縁の下方に位置された場合に突起３２Ａの上方に位置されるように、取付部材６０を介してバケット４６に取付けられている。
【００１３】
取付部材６０は、例えば図２に示すように、磁石３１Ａが取付けられた磁石取付部材６１と、磁石取付部材６１をバケット４６に取付ける一対の支持部材６２；６２と、支持部材を補強する一対の補強支持部材６３；６３とを備える。
支持部材６２は、一端がバケット４６の側板５３の外面の中央側に固定され、他端が側板５３の開放端縁５６より突出してバケット４６の底４６ｅから離れる方向に延長するように設けられた例えば棒材により構成される。一対の支持部材６２；６２は、一方の支持部材６２の一端がバケット４６の一方の側板５３に取付けられ、他方の支持部材６２の一端がバケット４６の他方の側板５３に取付けられて、互いに対向するように設けられる。
磁石取付部材６１は、バケット４６の各側板５３；５３間を跨ぐように設けられて、一端と一方の支持部材６２の他端部とが連結され、他端と他方の支持部材６２の他端部とが連結された例えば棒材により構成される。
補強支持部材６３は、一端がバケット４６の側板５３の外表面の回転中心軸５７側端部に固定され、他端が側板５３の開放端縁５６より突出するように設けられた例えば棒材により構成される。一対の補強支持部材６３；６３は、一方の補強支持部材６３の一端がバケット４６の一方の側板５３に取付けられ、他方の補強支持部材６３の一端がバケット４６の他方の側板５３に取付けられて、互いに対向するように設けられ、一方の補強支持部材６３の他端部と一方の支持部材６２の他端部とが連結され、他方の補強支持部材６３の他端部と他方の支持部材６２の他端部とが連結される。
磁石３１Ａが磁石取付部材６１における突起３２Ａと対向する位置に取付けられることで、磁石３１Ａが突起３２Ａと対向するように設けられる。
尚、バケット４６の開口５１が下方を向くようにバケット４６を回転させて磁石３１Ａが最下方に位置された場合、突起３２Ａは磁石３１Ａの位置よりも上方に位置されるように構成されている（図４（ａ）参照）。
【００１４】
次に、袋吊り装置１を用いた袋吊り方法について説明する。尚、以下の説明においては、バケットが操縦室４３に近づく方向を「内側」、バケットが操縦室４３から離れる方向を「外側」と定義して説明する。
土砂等の被収容物２１が袋２の上部の開口２２ｃから袋２内に詰め込まれ、袋２の上部の開口２２ｃが閉じられた後、バックホウ３Ａを操作し、バケット４６を外側に回転させた状態で下方に移動させることで吸引手段３１としての磁石３１Ａを下方に移動させ、袋２の持ち手２３に設けられた被吸引手段２４としての鉄２４Ａを磁石３１Ａで吸引することによって袋２の持ち手２３を引き上げて引っ掛け孔２３ａ（図２（ａ）参照）を形成した状態でバケット４６を内側に回転させることで引っ掛け手段３２としての突起３２Ａを引っ掛け孔２３ａに通して持ち手２３の上端縁に引っ掛ける。そして、持ち手２３の上端縁に引っ掛けられた突起３２Ａを上方に移動させることによって袋２を吊り上げることができる。
この際、被収容物２１を収容した袋２の持ち手２３が倒伏した状態であっても、当該持ち手２３に設けられた被吸引手段２４としての鉄２４Ａを吸引手段３１としての磁石３１Ａで吸引することによって持ち手２３が引き上げられて引っ掛け孔２３ａが形成されるので、突起３２Ａを引っ掛け孔２３ａに貫通させて持ち手２３の上端縁に引っ掛けることができる。
【００１５】
磁石３１Ａとして永久磁石を用いた場合の具体的を図４を参照して説明する。
まず、バケット４６の開口５１が下方を向くようにバケット４６を外側に回転させ（図４（ａ）参照）、アーム４５を下降させて磁石３１Ａと持ち手２３に設けられた鉄２４Ａとを磁着させた後（図４（ｂ）参照）、アーム４５を上昇させてバケット４６を上昇させることにより、持ち手２３が引き上げられて引っ掛け孔２３ａが形成される（図４（ｃ）参照）。引っ掛け孔２３ａが形成された後、持ち手２３が最大限引き上げられる前に、バケット４６を内側に回転させて突起３２Ａを引っ掛け孔２３ａに挿入し、突起３２Ａを磁石３１Ａのほぼ真下に位置させる（図４（ｄ）参照）。その後、アーム４５を上昇させてバケット４６を上昇させることによって持ち手２３が最大限引き上げられた後、さらにバケット４６を上昇させると、磁石３１Ａと鉄２４Ａとをくっつけている磁力が袋２の重さに負けて磁石３１Ａと鉄２４Ａとが離れ、持ち手２３の上端縁が下方に移動（落下）して引っ掛け孔２３ａの上端縁の弧部が突起３２Ａの上面に位置された状態、即ち、持ち手２３が突起３２Ａに引っ掛けられた状態となる（図４（ｅ）参照）。持ち手２３が突起３２Ａに引っ掛けられた状態となった後、さらにバケット４６を上昇させることにより、袋２を吊り上げることができる（図４（ｆ）参照）。
【００１６】
このように、バケット４６の開口５１を下向き状態としてバケット４６を上下方向に往復移動させて吸引手段３１を上下往復移動させることにより、吸引手段３１で袋２の持ち手２３を引き上げ、かつ、バケット４６の開口５１が下向き状態から上向き状態となるようにバケット４６を内側に回転させて引っ掛け手段３２を回転移動させることにより、引っ掛け手段３２を持ち手２３に引っ掛けた後に袋２を吊り上げることができる袋吊り装置１、言い換えれば、袋吊り装置１を構成する吊り手段３及び袋２が得られる。
つまり、被収容物２１を収容した袋２の持ち手２３が倒伏した状態であっても当該持ち手２３を引き上げることが可能で、かつ、引き上げた持ち手２３に引っ掛け手段３２を引っ掛けて袋２を吊り上げることが可能な袋吊り装置１を得ることができる。
【００１７】
磁石３１Ａとしては、被収容物２１を収容した袋２が設置面１００から離れるまでの間は、持ち手２３に設けられた被吸引手段２４としての鉄２４Ａを吸引可能な磁力を備え、かつ、被収容物２１を収容した袋２が設置面１００から離れて吊り上げられた後は、被収容物２１を収容した袋２の自重により鉄２４Ａが磁石より離れるような磁力を備えた永久磁石を用いたり、あるいは、被収容物２１を収容した袋２が設置面１００から離れるまでの間は、持ち手２３に設けられた鉄２４Ａを吸引可能な磁力を発生するように制御され、かつ、被収容物２１を収容した袋２を吊り上げる際には、消磁されるように制御される電磁石を用いればよい。
【００１８】
吊り上げ手段３３を備えた機械は、遠隔操作される機械であってもよいし、操縦室４３内で人が操作する機械であってもよい。
吊り上げ手段３３を備えた機械として、遠隔操作される機械を用いれば、例えば、土砂崩れや洪水等の災害地や放射線汚染地域等の危険地域において、機械を遠隔操作することで、被収容物２１が収容された袋２の吊り上げ作業の無人化が可能となる。また、被収容物２１として人体に有害な物質（放射能等）を収容した袋２の引き上げに使用できる。
【００１９】
実施形態２
磁石３１Ａが、図５；６に示すような取付部材６０Ａを用いてバケット４６に取付けられた構成の吊り手段３であってもよい。取付部材６０Ａは、例えば図６に示すように、磁石３１Ａが取付けられた磁石取付部材６６と、磁石取付部材６６をバケット４６に取付ける支持部材６５とを備える。
支持部材６５は、バケット４６の底板５２の長手方向の他端である他方の開放端縁（バケット４６の先端縁）５５より一方の開放端縁５４側に延長するように設けられる。
磁石取付部材６６は、支持部材６５の先端からバケットの底４６ｅより離れる方向に延長して突起３２Ａと対向するように設けられる。尚、突起３２Ａは、実施形態１と同じように、バケット４６の底板５２の長手方向の他端である他方の開放端縁（バケット４６の先端縁）５５よりバケット４６の底４６ｅ側とは反対方向に突出するように当該他方の開放端縁５５に設けられた突起であり、例えば、当該他方の開放端縁５５における一対の側板５３；５３間の中央位置に設けられる。
磁石３１Ａは突起３２Ａと対向するように、磁石取付部材６６における支持部材６５側（根元側）とは反対側である先端側に取付けられる。
尚、支持部材６５は、バケット４６の底板５２の長手方向の他端である他方の開放端縁５５において突起３２Ａが設けられる部分の両側に設けられ、これら各支持部材６５；６５の各先端に設けられた各磁石取付部材６６の先端側にそれぞれ磁石３１Ａ；３１Ａが設けられている。つまり、磁石３１Ａが突起３２Ａの両側と向かい合う位置に設けられており、バケット４６を内側に回転させて突起３２Ａを引っ掛け孔２３ａに挿入する際に、袋２の持ち手２３が突起３２Ａの両側と向かい合う位置で２つの磁石３１Ａ；３１Ａにより吸引されているので、突起３２Ａが引っ掛け孔２３ａに挿入しやすくなり、作業の確実性を向上する。
このように、実施形態２の構成の袋吊り装置１でも実施形態１と同じ効果が得られる。
【００２０】
実施形態３
実施形態１；２では、バケット４６の開口５１が下向き状態から上向き状態となるようにバケット４６を外側から内側に回転させることによって、袋２の持ち手２３を引き上げ、かつ、引き上げられた持ち手２３により形成された引っ掛け孔２３ａに引っ掛け手段３２を通して引っ掛け手段３２を持ち手２３に引っ掛けて袋２を吊り上げるように構成された吊り手段３を例示したが、図７；８に示すように、バケット４６の回転中心軸５７側のリンク機構７０に、吸引手段３１としての磁石３１Ａ、及び、引っ掛け手段３２としての鉤状引っ掛け部材３２Ｂを吊り下げるように構成された吊り手段３を用いてもよい。
例えば、鉤状引っ掛け部材３２Ｂとしては、図７に示すように、外側に開口した鉤状引っ掛け部材３２Ｂを用い、磁石３１Ａを鉤状引っ掛け部材３２Ｂの外側に位置させた構成とすればよい。また、例えば図７に示すように、磁石３１Ａを吊り下げる部材７１は、紐や棒などで構成すればよい。また、鉤状引っ掛け部材３２Ｂを吊り下げる部材は、吊り下げ部材７２、及び、吊り下げ部材７２と鉤状引っ掛け部材３２Ｂとを連結する例えばシャックルと呼ばれる連結具７３などにより構成すればよい。尚、鉤状引っ掛け部材３２Ｂはリンク機構７０に直接取付けてもよい。
実施形態３の袋吊り装置１を用いた袋吊り方法の一例について説明する。まず、バケット４６の開口５１を上向き状態としてアーム４５をブーム４４に近づける方向に移動させた状態でバケット４６をブーム４４を下げて下降させ、磁石３１Ａを袋２の倒伏した持ち手２３の鉄２４Ａに磁着させた後、バケット４６を上方に移動させることによって持ち手２３を引き上げる。その後、アーム４５をブーム４４から離れる方向に移動させることにより、引き上げられた持ち手２３の引っ掛け孔２３ａに鉤状引っ掛け部材３２Ｂを挿入し、さらにアーム４５を上昇させると、磁石３１Ａと鉄２４Ａとをくっつけている磁力が袋２の重さに負けて磁石３１Ａと鉄２４Ａとが離れ、持ち手２３の上端縁が下方に移動（落下）して引っ掛け孔２３ａの上端縁の弧部が鉤状引っ掛け部材３２Ｂに引っ掛けられた状態となる（図７；８参照）。このように、持ち手２３が鉤状引っ掛け部材３２Ｂに引っ掛けられた状態となった後、さらにバケット４６を上昇させることにより、袋２を吊り上げることができる。
当該実施形態３の袋吊り装置１を用いた場合でも、実施形態１と同じ効果が得られる。
【００２１】
尚、袋吊り装置１は、真空ポンプ等を用いた吸引力を利用して持ち手を引き上げる吸引装置を吸引手段として備えた袋吊り装置であってもよい。当該袋吊り装置１の場合、上述した吸引装置により吸引される持ち手に被吸引手段を備えない構成の袋を用いて、被収容物を収容した当該袋の倒伏した状態の持ち手を上述した吸引装置で吸引することで引き上げることができ、かつ、引き上げた持ち手に引っ掛け手段を引っ掛けて袋を吊り上げることができるようになる。
この場合、被吸引手段を備えない構成の袋を吊る袋吊り装置１は吊り手段３により構成されることになる。
【００２２】
尚、真空ポンプ等の吸引手段を用いる場合において、袋の持ち手が、吸引手段による吸引を補助するような被吸引手段を備えた構成の袋を用いてもよい。被吸引手段は、例えば、持ち手を形成するベルトの面より突出するように設けられた多数の短冊状や毛状のものからなる構成、あるいは、吸引しやすいように、軽量な素材、柔軟な素材、空気を通さない素材等で形成された持ち手の当該素材等である。この場合、袋吊り装置１は、当該袋と吊り手段３とを備えた構成となる。このように、袋の持ち手が、吸引手段で吸引される被吸引手段を備えた構成であれば、持ち手を引き上げやすくなる。
【符号の説明】
【００２３】
１  袋吊り装置、２  袋、３  吊り手段、２１  被収容物、２３  持ち手、
２３ａ  引っ掛け孔、２４  被吸引手段、２４Ａ  鉄（被吸引手段）、３１  吸引手段、３１Ａ  磁石（吸引手段）、３２  引っ掛け手段、３３  吊り上げ手段。
【図１】
2014234277.tif 000003
【図２】
2014234277.tif 000004
【図３】
2014234277.tif 000005
【図４】
2014234277.tif 000006
【図５】
2014234277.tif 000007
【図６】
2014234277.tif 000008
【図７】
2014234277.tif 000009
【図８】
2014234277.tif 000010